(57)【要約】ＢＳＳからの下りリンクの符号化方式ＣＳ−１のＲＬＣ／ＭＡＣ制御メッセージがＥＧＰＲＳ用ＭＳ（６１）に送信し、ＭＳにおいてＣＳ−１のＲＬＣ／ＭＡＣ制御メッセージを受信し検出する方法が提供される。ＢＳＳは、ＭＡＣヘッダのオクテットを除いた符号化方式ＣＳ−１のＲＬＣ／ＭＡＣ制御メッセージに等しいＣＳ−１のＲＬＣ／ＭＡＣ制御ブロックをＭＣＳ−１の無線ブロックに配置する。ＢＳＳはまた、レガシー・スティーリング・ビット値及びビット位置を用いて無線ブロック内に符号化方式ＣＳ−４のスティーリング・ビットの符号語を配置する。ブロック・ヘッダ（２５）のＣＰＳフィールド（２６）は、無線ブロックがＣＳ−１のＲＬＣ／ＭＡＣ制御メッセージを含むことを示す。ＭＳは無線ブロックを受信し、符号化方式ＣＳ−４のスティーリング・ビットの符号語を検出する。これに応答して、ＭＳはＣＰＳフィールドを識別するために受信した無線ブロック・ヘッダを解釈する。ＭＳはＣＳ−１のＲＬＣ／ＭＡＣ制御ブロックが受信されていたことをＣＰＳフィールドから判定する。【選択図】図４
2010521871.tif 000002
【特許請求の範囲】
【請求項１】
下りリンクの符号化方式ＣＳ−１の無線リンク制御／媒体アクセス制御（ＲＬＣ／ＭＡＣ）制御メッセージを発展型汎用パケット無線サービス（ＥＧＰＲＳ）用移動局に送信する方法であって、前記制御メッセージはヘッダ・コンテンツ及びメッセージ・コンテンツを有するＲＬＣ／ＭＡＣ制御ブロックを含み、前記方法は、
前記下りリンクのＣＳ−１のＲＬＣ／ＭＡＣ制御メッセージにおける前記制御ブロックのヘッダ・コンテンツを、ＭＣＳ−１の無線ブロックにおけるＲＬＣデータ・ヘッダに入れて送信するステップ（２１）と、
前記下りリンクのＣＳ−１のＲＬＣ／ＭＡＣ制御メッセージにおける前記ＲＬＣ／ＭＡＣ制御ブロックのメッセージ・コンテンツを、前記ＭＣＳ−１のブロックにおけるＲＬＣデータ部に入れて送信するステップ（２２）と、
前記ＭＣＳ−１の無線ブロックがＣＳ−１のＲＬＣ／ＭＡＣ制御ブロックを含むことを前記ＥＧＰＲＳ用移動局内のレイヤ２エンティティに通知するために、前記ＭＣＳ−１のＲＬＣデータ・ヘッダにおける符号化・パンクチャリング方式（ＣＰＳ）フィールドを利用するステップ（２３）と
を有することを特徴とする方法。
【請求項２】
ＣＳ−１のＲＬＣ／ＭＡＣ制御メッセージが一つのＭＣＳ−１の無線ブロックに収まらない長さである場合に、前記方法は、ＣＳ−１のＲＬＣ／ＭＡＣ制御メッセージ全体が送信されるまで、複数のＭＣＳ−１の無線ブロックに前記制御メッセージの一部を配置するステップをさらに備えることを特徴とする請求項１に記載の方法。
【請求項３】
無線リンク制御／媒体アクセス制御（ＲＬＣ／ＭＡＣ）制御メッセージを発展型汎用パケット無線サービス（ＥＧＰＲＳ）用移動局に送信する方法であって、
ヘッダ部及びメッセージ部を有する符号化方式ＣＳ−１のＲＬＣ／ＭＡＣ制御メッセージであって、ＭＡＣヘッダのオクテットを除いた下りリンクのＣＳ−１のＲＬＣ／ＭＡＣ制御メッセージに等しいＲＬＣ／ＭＡＣ制御メッセージを、変調・符号化方式ＭＣＳ−１の無線ブロックに配置するステップ（４１）と、
レガシー・ビット値及びレガシー・ビット位置を用いて、符号化方式ＣＳ−４のスティーリング・ビットの符号語を、前記ＭＣＳ−１の無線ブロックに配置するステップ（４２）と、
前記ＭＣＳ−１無線ブロックが、前記ＭＡＣヘッダのオクテットを除いたＣＳ−１のＲＬＣ／ＭＡＣ制御メッセージを含むことを、前記ＭＣＳ−１のヘッダ部の符号化・パンクチャリング方式（ＣＰＳ）フィールドにおいて示すステップ（４３）と、
前記ＭＣＳ−１の無線ブロックを前記移動局に送信するステップ（４４）と
を有することを特徴とする方法。
【請求項４】
ＣＳ−１のＲＬＣ／ＭＡＣ制御メッセージが一つのＭＣＳ−１の無線ブロックに収まらない長さである場合に、前記方法は、ＣＳ−１のＲＬＣ／ＭＡＣ制御メッセージ全体が送信されるまで、複数のＭＣＳ−１の無線ブロックに前記制御メッセージの一部を配置するステップをさらに備えることを特徴とする請求項３に記載の方法。
【請求項５】
発展型汎用パケット無線サービス（ＥＧＰＲＳ）用移動局において、受信した無線ブロックが符号化方式ＣＳ−１の無線リンク制御／媒体アクセス制御（ＲＬＣ／ＭＡＣ）制御ブロックを含むことを検出する方法であって、
前記受信した無線ブロックにおいて、レガシー・ビット値及びレガシー・ビット位置を用いて送信された符号化方式ＣＳ−４のスティーリング・ビットの符号語を検出するステップ（５１）と、
前記ＣＳ−４のスティーリング・ビットの符号語を検出したことに応答して、符号化・パンクチャリング方式（ＣＰＳ）フィールドを識別するために、前記受信した無線ブロックに含まれる無線ブロック・ヘッダを解釈するステップ（５２）と、
ＣＳ−１のＲＬＣ／ＭＡＣ制御ブロックを含むＭＣＳ−１の無線ブロックが受信されていたことを前記ＣＰＳフィールドから判定するステップ（５３）と
を有することを特徴とする方法。
【請求項６】
前記無線ブロック・ヘッダを解釈するステップは、ＭＣＳヘッダ・タイプ３に従って前記無線ブロック・ヘッダを解釈するステップを含むことを特徴とする請求項５に記載の方法。
【請求項７】
前記受信無線ブロックにおいて符号化方式ＣＳ−４のスティーリング・ビットの符号語を検出するステップは、レガシー・ベーシック伝送時間間隔（ＢＴＴＩ）用バースト・シーケンスにおいて解釈されるレガシー・ビット値及びレガシー・ビット位置を用いて前記ＣＳ−４のスティーリング・ビットの符号語を検出するステップを含むことを特徴とする請求項５に記載の方法。
【請求項８】
前記無線ブロックは低減伝送時間間隔（ＲＴＴＩ）用バースト・シーケンスにおいて送信され、前記無線ブロック・ヘッダを解釈するステップは、前記ＲＴＴＩ用バースト・シーケンスにおいてヘッダ・タイプ３として解釈されるバーストを用いて前記無線ブロック・ヘッダを解釈するステップを含むことを特徴とする請求項７に記載の方法。
【請求項９】
前記制御メッセージが受信されていたことを前記ＣＰＳフィールドから判定するステップは、前記ＥＧＰＲＳ用移動局内のレイヤ２エンティティにより実行されることを特徴とする請求項５に記載の方法。
【請求項１０】
受信した無線ブロックが符号化方式ＣＳ−１の無線リンク制御／媒体アクセス制御（ＲＬＣ／ＭＡＣ）制御ブロックを含むことを検出するための発展型汎用パケット無線サービス（ＥＧＰＲＳ）用移動局内の処理ユニットであって、
前記受信した無線ブロックにおいて、レガシー・ビット値及びレガシー・ビット位置を用いて送信された符号化方式ＣＳ−４のスティーリング・ビットの符号語を検出するスティーリング・ビット検出器と、
前記ＣＳ−４のスティーリング・ビットの符号語を検出したことに応答して、符号化・パンクチャリング方式（ＣＰＳ）フィールドを識別するために、前記受信した無線ブロックに含まれる無線ブロック・ヘッダを解釈する無線ブロック・ヘッダ解釈器と、
ＭＣＳ−１の制御ブロックが受信されていたことを前記ＣＰＳフィールドから判定するＣＰＳフィールド解釈器と
を備えることを特徴とする処理ユニット。
【請求項１１】
前記無線ブロック・ヘッダ解釈器は、ＭＣＳヘッダ・タイプ３に従って前記無線ブロック・ヘッダを解釈する手段を含むことを特徴とする請求項１０に記載の処理ユニット。
【請求項１２】
前記スティーリング・ビット検出器は、レガシー・ベーシック伝送時間間隔（ＢＴＴＩ）用バースト・シーケンスにおいて解釈されるレガシー・ビット値及びレガシー・ビット位置を用いて前記ＣＳ−４のスティーリング・ビットの符号語を検出する手段を含むことを特徴とする請求項１０に記載の処理ユニット。
【請求項１３】
前記無線ブロックは低減伝送時間間隔（ＲＴＴＩ）用バースト・シーケンスにおいて送信され、前記無線ブロック・ヘッダ解釈器は、前記ＲＴＴＩ用バースト・シーケンスにおいてヘッダ・タイプ３として解釈されるバーストを用いて前記無線ブロック・ヘッダを解釈する手段を含むことを特徴とする請求項１２に記載の処理ユニット。
【請求項１４】
前記ＣＰＳフィールド解釈器は前記ＥＧＰＲＳ用移動局内のレイヤ２エンティティを備えることを特徴とする請求項１０に記載の処理ユニット。
【発明の詳細な説明】
【技術分野】
【０００１】
本発明は無線通信ネットワークに関する。より詳細には、制限する目的はなく、本発明は、無線リンク制御／媒体アクセス制御（ＲＬＣ／ＭＡＣ）制御メッセージを発展型汎用パケット無線サービス（ＥＧＰＲＳ）用移動局に送信する方法と、符号化方式ＣＳ−１のＲＬＣ／ＭＡＣ制御メッセージの存在を検出する移動局内の処理ユニットとを対象とする。
【０００２】
本出願は２００７年３月１６日に出願された先行の米国特許出願第６０／８９５，３４２号の利益を主張する。
【背景技術】
【０００３】
ＥＧＰＲＳが標準化された際に、レガシーＧＰＲＳ用移動局（ＭＳ）はＥＧＰＲＳ用無線ブロックの上りリンク状態フラグ（ＵＳＦ）を復号することが必要となった。ＥＧＰＲＳ用無線ブロックは、変調・符号化方式ＭＣＳ−１〜ＭＣＳ−４などの場合のガウス最小偏移変調（ＧＭＳＫ）と変調・符号化方式ＭＣＳ−５〜ＭＣＳ−９などの場合の８位相偏移変調（８ＰＳＫ）とのいずれかを利用して変調され得る。ＧＰＲＳ用ＭＳは８ＰＳＫで変調されたＥＧＰＲＳ用無線ブロックを受信できない。しかし、ＧＭＳＫで変調されたＥＧＰＲＳ用無線ブロックをＧＰＲＳ用ＭＳが受信できるようにする解決策が発見された。当該解決策は、ＧＭＳＫで変調されたＥＧＰＲＳ用無線ブロックのＵＳＦを、ＧＰＲＳ用符号化方式の一つすなわちＣＳ−４と全く同じ方法で符号化してインタリーブすることであった。ＧＭＳＫで変調されたＥＧＰＲＳ用無線ブロックにおいてレガシーＧＰＲＳ用無線ブロックにおける位置と同じ位置にスティーリング・ビットを配置し、これらのスティーリング・フラグをＣＳ−４用の符号語に設定することによって、ＣＳ−４の無線ブロックが受信されたとＧＰＲＳ用ＭＳが考えるようになった。その結果として、無線状況があまりにも悪くない限り、ＧＰＲＳ用ＭＳは、ブロックがＣＳ−４の無線ブロックであると考えて首尾よくＵＳＦを符号化できた。その後に、ＧＰＲＳ用ＭＳはＥＧＰＲＳ用無線ブロックの残りをＣＳ−４のブロックとして復号することを試みて、（ＣＲＣ障害を検出して）失敗するだろう。しかしながら、この解決策はなおも、レガシーＧＰＲＳ用ＭＳのための上りリンク伝送をスケジュールするために、ＭＳＣ−５〜ＭＳＣ−９で符号化されたＥＧＰＲＳ用無線ブロックのコンテキスト内で受信されたＵＳＦを用いることの主な目的を満足させることを可能とする。
【０００４】
ＥＧＰＲＳ用ＭＳはレガシー・スティーリング・ビットも読み取るものの、ＥＧＰＲＳ用ＭＳにとっては、ＣＳ−４のスティーリング・ビットの符号語は、ＥＧＰＲＳ用無線ブロックが変調・符号化方式ＭＣＳ−１〜ＭＣＳ−４の一つを用いて送信されていたということを示す。従って、（ＣＳ−４についての位置と同じ）正しい位置にＵＳＦが配置されるため、ＥＧＰＲＳ用ＭＳは首尾よくＵＳＦを復号できる。ＭＣＳ−１〜ＭＣＳ−４の何れが用いられたかを判定するために、ＥＧＰＲＳ用ＭＳはＲＬＣ／ＭＡＣヘッダを復号し、符号化・パンクチャリング方式（ＣＰＳ）フィールドに着目し、無線ブロックの残りを復号する。無線ブロックが実際はＣＳ−４の無線ブロックであった場合に、この処理の後半部分は（ＲＬＣ／ＭＡＣヘッダを復号中にＣＲＣ障害を検出して）失敗するだろう。しかしながら、この解決策もやはり、ＥＧＰＲＳ用ＭＳのための上りリンク伝送をスケジュールするために、ＣＳ−１〜ＣＳ−４で符号化されたＧＰＲＳ用無線ブロックのコンテキスト内で受信されたＵＳＦを用いることの主な目的を満たすことを可能とする。
【０００５】
ＥＧＰＲＳ用ＭＳは、ＧＰＲＳ用のＣＳ−１〜ＣＳ−３の無線ブロックのＵＳＦも復号できなければならない。従って、ＥＧＰＲＳ用ＭＳは、これら符号化方式のスティーリング・ビットの符号語も同様に復号できなければならない。
【０００６】
よって、ＥＧＰＲＳ用ＭＳについて、当該ＭＳがスティーリング・ビットを読み取り、ＣＳ−４のスティーリング・ビットの符号語を検出した場合にＭＣＳ−１〜ＭＣＳ−４のブロックが受信されていたとＥＧＰＲＳ用ＭＳに考えさせるようにする。ＭＣＳ−１〜ＭＣＳ−４に対してＣＳ−４のブロックに対する方法と同じ方法でＵＳＦが運ばれるため、ＣＳ−４のスティーリング・ビットの符号語を用いた場合に、ＥＧＰＲＳ用ＭＳはＵＳＦを首尾よく復号できる。その後に、ＥＧＰＲＳ用ＭＳは、ＭＣＳ−１〜ＭＣＳ−４のブロックの何れが受信されていたかを確認するために、ＲＬＣ／ＭＡＣヘッダ（特にＣＰＳフィールド）を復号することを試みる。ＭＣＳ−１〜ＭＣＳ−４のブロックが実際は送信されていた場合に、ＥＧＰＲＳ用ＭＳはＲＬＣ／ＭＡＣヘッダを首尾よく復号する。ＣＳ−４のブロックが実際は送信されていた場合に、ＥＧＰＲＳ用ＭＳはＲＬＣ／ＭＡＣヘッダを首尾よく復号することができない。ＥＧＰＲＳ用ＭＳはＣＳ−１〜ＣＳ−３のスティーリング・ビットの符号語も復号でき、従ってＣＳ−１〜ＣＳ−３のブロックとともに送信されたＵＳＦを読み取ることができる。しかしながら、これらのＵＳＦが検出された場合に、ＥＧＰＲＳ用ＭＳは、ＭＣＳ−１〜ＭＣＳ−３のブロックの存在を試験して検証するためにＲＬＣ／ＭＡＣヘッダを復号することを試みないだろう（すなわち、ＣＳ−４のスティーリング・ビットの符号語の場合に対してのみ、ＥＧＰＲＳ用ＭＳはＵＳＦを読み取ることができ、場合によってはＭＣＳ−１〜ＭＣＳ−４のブロックを受信することができるだろう）。
【０００７】
ＧＰＲＳ用ＭＳについて、ＣＳ−４のスティーリング・ビットの符号語が読み取られる場合に、ＣＳ−４のブロックが受信されていたとＧＰＲＳ用ＭＳが考えることになる。ＧＰＲＳ用ＭＳは、あたかもＣＳ−４のブロックが受信されているかのように、ＲＬＣ／ＭＡＣヘッダを復調することを試みる。ＣＳ−４ブロックが送信されていた場合に、ＧＰＲＳ用ＭＳはＲＬＣ／ＭＡＣヘッダを首尾よく復調する。ＭＳＣ−１〜ＭＣＳ−４が実際は送信されていた場合に、ＧＰＲＳ用ＭＳはＲＬＣ／ＭＡＣヘッダを首尾よく復調することができない。
【０００８】
図１は従来のＧＰＲＳ用符号化方式ＣＳ−１を用いて符号化された無線ブロック１０を説明する。ＥＧＰＲＳにおいて、ＲＬＣ／ＭＡＣ制御メッセージはＧＰＲＳ用符号化方式ＣＳ−１を用いて送信される。これは、レガシーの理由のためで、コンテンツが分配メッセージ（distribution message）である場合に同じメッセージを読み取ることをＧＰＲＳ用ＭＳに可能とするためである。ＥＧＰＲＳの現在の仕様では、ＭＳはスティーリング・ビットを読み取って、その後にスティーリング・ビット（ＳＢ）の値に従ってＵＳＦを復号する。ＣＳ−１で符号化された下りリンクのブロックについて、ＵＳＦはブロック１１で示されるようにペイロードとともに符号化され、ＵＳＦは無線ブロック全体の畳み込み復号の後にのみ取得することができる。
【０００９】
３ＧＰＰ標準のリリース７では、新たなタイプの無線ブロックである低減（Ｒｅｄｕｃｅｄ）伝送時間間隔（ＲＴＴＩ）が規定される。ＲＴＴＩ用無線ブロックは、一つのタイムスロットにわたって２０ｍｓで送信される代わりに、二つのタイムスロットにわたって１０ｍｓで送信される。ＲＴＴＩの詳細な説明は非特許文献１と非特許文献２とに見られる。
【００１０】
ＧＰＲＳ／ＥＧＰＲＳ用ＵＳＦはＲＴＴＩ対応のＭＳによって読み取られ得る。異なるものが送信されていたとＭＳに考えさせる上述と同じ原理が、下りリンクにおいてＲＴＴＩ用無線ブロックが送信される場合に用いられる。レガシー（ＧＰＲＳ用又はＥＧＰＲＳ用）ＭＳは、レガシー無線ブロックが送信されていたと考えるようになる。ＵＳＦビットはレガシーＭＳが期待する位置に配置され、当該ビットは同じ方法で符号化される。レガシーＭＳが期待する位置にＵＳＦビットを配置した結果、２０ｍｓ期間中の二つのＲＴＴＩ用無線ブロックは同じ変調を用いて送信されなければならなくなる。レガシー無線ブロックに対しては変調の制限が何もない。
【００１１】
図２はＧＭＳＫで変調された伝送についてのレガシー・スティーリング・ビットの予約を説明する。ＧＭＳＫで変調されたＲＴＴＩ用ブロックが下りリンクで送信される場合に、スティーリング・ビットはレガシーＧＰＲＳ／ＥＧＰＲＳ用ＭＳが期待する位置（すなわち、一つのタイムスロット上に一つの無線ブロックを備える四つの連続したＴＤＭＡフレーム内）に配置される。これらのスティーリング・ビットをＣＳ−４のスティーリング・ビットの符号語に設定することによって、（一つのタイムスロット上で２０ｍｓにわたってインタリービングされる両方の場合において、）レガシーＧＰＲＳ用ＭＳはＣＳ−４のブロックが送信されていたと考えるようになり、ＥＧＰＲＳ用ＭＳはＭＣＳ−１〜ＭＣＳ−４のブロックが送信されていたと考えるようになる。図２に示されるように、ＧＰＲＳ／ＥＧＰＲＳのスティーリング・ビットは各バーストのトレーニング・シーケンス（ＴＳＣ）に最も近い二つの位置（両側の位置）に（すなわち、２０ｍｓにわたって合計８ビットに）配置される。ＣＳ−４／ＭＣＳ−１〜ＭＣＳ−４を示すために、ビットは０００１０１１０に設定される。
【００１２】
図３はＲＴＴＩ用無線ブロックに対するレガシーＵＳＦビットの予約を説明する。ＵＳＦビットもまたレガシーＭＳが期待する位置（すなわち、ＣＳ−４及びＭＣＳ−１〜ＭＣＳ−４の無線ブロックにおける位置）に配置されなければならない。図３に示されるように、バーストごとに三つで、レガシー無線ブロックごとに合計で１２個のＵＳＦビットがある。レガシー無線ブロックにおける四つのバースト内で、正しい場所は異なる。以下の表１はＧＭＳＫで変調された無線ブロックについて１２個のＵＳＦの位置を示す。
【表１】
2010521871.tif 000003
【００１３】
レガシー・スティーリング・ビット及びレガシー・ＵＳＦビットがレガシーの目的のために予約されている場合に、ＲＴＴＩ用ブロックについてバーストごとに１１６−２−３＝１１１ビットが残っている。よって、二つのタイムスロット上で１０ｍｓにわたって、合計で４４４ビットある。ＲＴＴＩ用ブロックの（ＵＳＦを除いた）ＲＬＣ／ＭＡＣヘッダ及びＲＬＣデータ部は、修正することなくこれらの４４４個のビットに完全に収まることに留意されたい。この解決策では、レガシーＭＳは、下りリンクでＲＴＴＩ用ブロックが送信された場合に、ＵＳＦを復号することができる。
【００１４】
８ＰＳＫで変調されたＲＴＴＩ用無線ブロックを下りリンクで送信することを可能とする従来の解決策もある。この解決策は本発明に適用できなく、以下ではさらに説明されない。
【００１５】
最新技術によれば、ＲＬＣ／ＭＡＣ制御メッセージは、低減ＴＴＩ（１０ｍｓ）でＣＳ−１の符号化を用いてＲＴＴＩ用ＭＳに送信される。ＭＳがＵＳＦを読み取るために、レガシーＳＢ及びレガシーＵＳＦの位置が予約されなければならない。
【００１６】
上述の従来からある解決策には複数の問題がある。第一に、ＲＴＴＩ用ＭＳは２種類のＲＴＴＩ用ブロック、（パケット関連制御チャネルＰＡＣＣＨ及びＲＬＣ・ＭＡＣ制御シグナリング用の）ＣＳ−１と、（ＲＬＣデータ用の）ＭＣＳ−１〜ＭＣＳ−４と、を区別できなければならない。上述のように通常はこの目的のためにレガシーＭＳにより用いられるスティーリング・ビットは、レガシーの目的のために予約されているため、用いることができない。言い換えると、ＲＴＴＩ用ブロックが送信されるのと同じＰＤＣＨ上でレガシーＭＳが多重化されるようにするためにレガシー・スティーリング・ビットはレガシーの方法で用いられ続け、従ってＢＴＴＩ用バースト・シーケンシング（すなわち、ＤＬのＲＴＴＩのＴＢＦとともにＭＳにより行われないもの）に従って読み取る場合にだけ理解できるだろう。
【００１７】
この問題に対する最新技術の解決策は非特許文献３に記載される。この解決策は以下に記載されるブラインド検出を用いる。
１．ＲＴＴＩ用ＭＳはＲＴＴＩ用ブロックを備えるバースト内のビットをデインタリービングする。インタリービングは、ＭＣＳ−１〜ＭＣＳ−４に対するものと全く同じＣＳ−１に対するものである。
２．ＲＴＴＩ用ＭＳはＭＣＳ−１〜ＭＣＳ−４のブロックが送信されていたと仮定して、ＲＬＣ／ＭＡＣヘッダを復号する。
ａ．ＲＬＣ／ＭＡＣヘッダが正しく復号された場合（例えば、ＣＲＣチェックを通過した場合）に、ＭＣＳ−１〜ＭＣＳ−４のブロックが受信されていて、ＲＴＴＩ用ＭＳはＲＬＣデータの復号を続ける。
ｂ．ＲＬＣ／ＭＡＣヘッダが誤って復号された場合（例えば、ＣＲＣチェックに失敗した場合）に、ＲＴＴＩ用ＭＳはＣＳ−１のブロックが受信されていたと仮定し、これに従って復号する。
【００１８】
この最新技術の解決策の問題は、２倍の復号が必要となることである。これは復号の複雑さを増加させる。
【００１９】
第二の問題はＣＳ−１のブロックにおいてＵＳＦがデータとともに符号化されることに起因する。従って、ＲＴＴＩ用ブロック内に、スティーリング・フラグ（ＳＦ）のため又はＵＳＦのために予約される利用可能なビットがない。
【００２０】
この問題への最新技術の解決策が非特許文献４に記載される。この解決策では、ＣＳ−１のブロック内のビットが、ＳＦ／ＵＳＦビットのために余地を与えるようにパンクチャされる。これらの位置（表１参照）におけるビットにより元々運ばれるＣＳ−１のブロック内のペイロード・ビットは代用されて失われ、その結果下りリンク・ペイロードの受信に悪影響を及ぼす。現行の符号化方式はこの影響を最小化するように更新される必要がある。
【先行技術文献】
【非特許文献】
【００２１】
【非特許文献１】３ＧＰＰ技術要求仕様ＴＲ４５．９１２
【非特許文献２】３ＧＰＰ技術仕様書ＴＳ４３．０６４
【非特許文献３】３ＧＰＰ技術文書ＧＰ−０６０２００、「同一ＰＤＣＨ上のＲＴＴＩ用ＭＳ及びレガシーＭＳの多重化」、ＴＳＧ  ＧＥＲＡＮ  ＃３２
【非特許文献４】３ＧＰＰ技術文書ＧＰ−０７０１６９、「ＲＴＴＩの符号化方式更新」、ＴＳＧ  ＧＥＲＡＮ  ＃３３
【発明の概要】
【発明が解決しようとする課題】
【００２２】
従って、この最新技術の解決策に伴う問題は、ビットがパンクチャされることである。これは、リンクの適切な動作に不可欠であるＲＬＣ／ＭＡＣ制御メッセージのリンク性能を劣化させる。
【課題を解決するための手段】
【００２３】
当該技術において必要なものは、上記で概略した先行技術の不都合を克服する、ＲＬＣ／ＭＡＣ制御メッセージをＥＧＰＲＳ用移動局に送信する方法と、符号化方式ＣＳ−１のＲＬＣ／ＭＡＣ制御メッセージの存在を検出する移動局内の処理ユニットとである。本発明は、このような方法と処理ユニットとを提供する。
【００２４】
本発明は、ＥＧＰＲＳ用ＭＳにＲＬＣ／ＭＡＣ制御メッセージを送信する方法と、ＭＳにおいて、ＲＬＣ／ＭＡＣ制御メッセージを備えるＲＬＣ／ＭＡＣ制御ブロックを受信し検出する方法及び処理ユニットとを提供する。本発明は、２倍の復号を必要としないし、ビット・パンクチャリングによりリンク性能が劣化することもない。
【００２５】
ある実施形態では、本発明は、下りリンクの符号化方式ＣＳ−１のＲＬＣ／ＭＡＣ制御メッセージをＥＧＰＲＳ用移動局に送信する方法を対象とする。本方法は、前記下りリンクのＣＳ−１のＲＬＣ／ＭＡＣ制御メッセージにおける前記制御ブロックのヘッダ・コンテンツを、ＭＣＳ−１の無線ブロックにおけるＲＬＣデータ・ヘッダに入れて送信するステップと、前記下りリンクのＣＳ−１のＲＬＣ／ＭＡＣ制御メッセージにおける前記ＲＬＣ／ＭＡＣ制御ブロックのメッセージ・コンテンツを、前記ＭＣＳ−１のブロックにおけるＲＬＣデータ部に入れて送信するステップと、前記ＭＣＳ−１の無線ブロックがＣＳ−１のＲＬＣ／ＭＡＣ制御ブロックを含むことを前記ＥＧＰＲＳ用移動局内のレイヤ２エンティティに通知するために、前記ＭＣＳ−１のＲＬＣデータ・ヘッダにおける符号化・パンクチャリング方式（ＣＰＳ）フィールドを利用するステップとを有する。ＣＳ−１のＲＬＣ／ＭＡＣ制御メッセージの長さに依存して、一つ以上のＭＣＳ−１の無線ブロックがこれの送信に必要とされてもよい。
【００２６】
別の実施形態では、本発明は、ＲＬＣ／ＭＡＣ制御メッセージをＥＧＰＲＳ用移動局に送信する方法であって、ＢＳＳが、ヘッダ部及びメッセージ部を有する符号化方式ＣＳ−１のＲＬＣ／ＭＡＣ制御メッセージであって、ＭＡＣヘッダのオクテットを除いた下りリンクのＣＳ−１のＲＬＣ／ＭＡＣ制御メッセージに等しいＲＬＣ／ＭＡＣ制御メッセージを、変調・符号化方式ＭＣＳ−１の無線ブロックに配置する。ＣＳ−１のＲＬＣ／ＭＡＣ制御メッセージの長さに依存して、一つ以上のＭＣＳ−１の無線ブロックがこれを送信するのに必要とされてもよい。ＢＳＳはまた、レガシー・スティーリング・ビットを用いて（すなわち、レガシー・ビット値及びレガシー・ビット位置を用いて）、符号化方式ＣＳ−４のスティーリング・ビットの符号語を、前記ＭＣＳ−１の無線ブロックに配置する。ＢＳＳは、前記ＭＣＳ−１無線ブロックが、前記ＭＡＣヘッダのオクテットを除いたＣＳ−１のＲＬＣ／ＭＡＣ制御メッセージを含むことを、前記ＭＣＳ−１のヘッダ部のＣＰＳフィールドにおいて示す。ＢＳＳはその後に、前記ＭＣＳ−１の無線ブロックを前記移動局に送信する。
【００２７】
別の実施形態では、本発明は、ＥＧＰＲＳ用移動局において、受信した無線ブロックが符号化方式ＣＳ−１のＲＬＣ／ＭＡＣ制御ブロックを含むことを検出する方法を対象とする。本方法は、前記受信した無線ブロックにおいて、レガシー・ビット値及びレガシー・ビット位置を用いて送信された符号化方式ＣＳ−４のスティーリング・ビットの符号語を検出するステップと、前記ＣＳ−４のスティーリング・ビットの符号語を検出したことに応答して、符号化・パンクチャリング方式（ＣＰＳ）フィールドを識別するために、前記受信した無線ブロックに含まれる無線ブロック・ヘッダを解釈するステップと、ＣＳ−１のＲＬＣ／ＭＡＣ制御ブロックを含むＭＣＳ−１の無線ブロックが受信されていたことを前記ＣＰＳフィールドから判定するステップとを有する。
【００２８】
別の実施形態では、本発明は受信した無線ブロックがＣＳ−１のＲＬＣ／ＭＡＣ制御ブロックを含むことを検出するためのＥＧＰＲＳ用移動局内の処理ユニットを対象とする。処理ユニットは、前記受信した無線ブロックにおいて、レガシー・ビット値及びレガシー・ビット位置を用いて送信された符号化方式ＣＳ−４のスティーリング・ビットの符号語を検出するスティーリング・ビット検出器を湯汲む。処理ユニットはまた、前記ＣＳ−４のスティーリング・ビットの符号語を検出したことに応答して、符号化・パンクチャリング方式（ＣＰＳ）フィールドを識別するために、前記受信した無線ブロックに含まれる無線ブロック・ヘッダを解釈する無線ブロック・ヘッダ解釈器と、ＭＣＳ−１の制御ブロックが受信されていたことを前記ＣＰＳフィールドから判定するＣＰＳフィールド解釈器とを含む。
【図面の簡単な説明】
【００２９】
【図１】（先行技術）従来のＧＰＲＳ用符号化方式ＣＳ−１を用いて符号化された無線ブロックを説明する図である。
【図２】（先行技術）ＧＭＳＫで変調された伝送に対するレガシー・スティーリング・ビットの予約を説明する図である。
【図３】（先行技術）ＲＴＴＩ用無線ブロックに対するレガシーＵＳＦビットの予約を説明する図である。
【図４】ＣＳ−１のＲＬＣ／ＭＡＣ制御ブロックをＥＧＰＲＳ用移動局に送信する発明の方法に係る第１の実施形態のステップを説明するフローチャートである。
【図５】本発明の例示的な実施形態において、符号化方式ＭＣＳ−１〜ＭＣＳ−４に対するＥＧＰＲＳ用の下りリンクのＲＬＣデータ・ブロックのヘッダを説明する図である。
【図６】本発明の例示的な実施形態において、下りリンクのＣＳ−１のＲＬＣ／ＭＡＣ制御ブロックを、ヘッダ・タイプ３について利用されるそのＭＡＣヘッダと合わせて説明する。
【図７】本発明の例示的な実施形態におけるＵＳＦマッピングの概略説明図である。
【図８】本発明の例示的な実施形態において、ＵＳＦを用いたレガシーＭＳ及びＲＴＴＩ用ＭＳへの上りリンクの無線ブロックのアロケーションを説明する図である。
【図９】ＣＳ−１のＲＬＣ／ＭＡＣ制御メッセージをＥＧＰＲＳ用移動局に送信する発明の方法の第２の例示的な実施形態のステップを説明するフローチャートである。
【図１０】ＥＧＰＲＳ用移動局においてＲＬＣ／ＭＡＣ制御メッセージを受信し検出する発明の方法の例示的な実施形態のステップを説明するフローチャートである。
【図１１】ＥＧＰＲＳ用ＭＳ内の発明の処理ユニットの例示的な実施形態の単純化されたブロック図である。
【発明を実施するための形態】
【００３０】
以下に、添付の図面を参照しつつ、好適な実施形態を示すことによって、本発明の本質的な特徴を詳細に説明する。
【００３１】
ある例示的な実施形態において、本発明は、ＣＳ−１のＲＬＣ／ＭＡＣ制御メッセージを備えるＲＬＣ／ＭＡＣ制御ブロックを、発展型汎用パケット無線サービス（ＥＧＰＲＳ）の変調・符号化方式ＭＣＳ−１とともに、低減伝送時間間隔（ＲＴＴＩ）用移動局（ＭＳ）に送信する。ＭＳは、ＣＳ−４に等しいスティーリング・ビットの符号語を探す。ベーシックＴＴＩ（ＢＴＴＩ）用ＵＳＦモードが用いられる場合に、ＣＳ−４のスティーリング・ビットの符号語は、レガシーＢＴＴＩ用バースト・シーケンスにおいて解釈されるレガシー・スティーリング・ビットを用いて送信される。ＲＴＴＩ用ＵＳＦモードが用いられる場合に、ＣＳ−４のスティーリング・ビットの符号語は、ＲＴＴＩ用バースト・シーケンスにおいて解釈されるビットを用いて送信される。ＣＳ−４のスティーリング・ビットの符号語が受信されていたとＭＳが判定すると、ＭＳは無線ブロック・ヘッダをヘッダ・タイプ３として（ＲＴＴＩ用バースト・シーケンスにおいて解釈されるバーストを用いて）解釈し始めて（すなわち、ＭＣＳ−１〜ＭＣＳ−４の無線ブロックを受信していたと仮定し）、それがＢＳＳにより実際に送信されたものと仮定すると、ＣＳ−１のＲＬＣ／ＭＡＣ制御ブロックを含むＭＳＣ−１の無線ブロックを受信していたことを判定するために、その後にＣＰＳフィールドに着目する。
【００３２】
図において以下のヘッダ・フィールドが示される。
ＡＣ          ‐アドレス制御フィールド
ＢＳＮ１      ‐ブロック・シーケンス番号１
ＣＰＳ        ‐符号化・パンクチャリング方式
Ｄ            ‐宛先フィールド
ＥＳ／Ｐ      ‐ＥＧＰＲＳ補足／ポーリング・フィールド
ＦＳ          ‐最終セグメントフィールド
ＦＳｅ        ‐ＦＳビット設定＝０
ＲＲＢＰ      ‐相対予約ブロック期間
ＲＴＩ        ‐無線トランザクション識別子
Ｓ／Ｐ        ‐補足／ポーリング・フィールド
ＴＦＩ        ‐一時フロー識別子
ＰＲ          ‐電力低減フィールド
ＲＢＳＮ      ‐低減ブロック・シーケンス番号
ＲＢＳＮｅ    ‐ＲＢＳＮ設定＝１
ＳＰＢ        ‐分割ブロック識別子
ＵＳＦ        ‐上りリンク状態フラグ
【００３３】
図４はＣＳ−１のＲＬＣ／ＭＡＣ制御ブロックをＥＧＰＲＳ用移動局に送信する発明の方法に係る第１の実施形態のステップを説明するフローチャートである。ステップ２１で、ＲＬＣ／ＭＡＣ制御メッセージにおけるＣＳ−１のＲＬＣ／ＭＡＣ制御ブロック・ヘッダが、ＭＣＳ−１の無線ブロックにおけるＲＬＣデータ・ヘッダに入れて送信される。ステップ２２で、ＣＳ−１のＲＬＣ／ＭＡＣ制御ブロックのメッセージ・コンテンツがＭＣＳ−１のブロックにおけるＲＬＣデータ部に入れて送信されてもよい。ステップ２３で、ＭＣＳ−１の無線ブロックがＣＳ−１のＲＬＣ／ＭＡＣ制御ブロックを含むことを受信側のレイヤ２エンティティに通知するために、ＭＣＳ−１のＲＬＣデータ・ヘッダ（ヘッダ・タイプ３）における符号化・パンクチャリング方式（ＣＰＳ）フィールドが利用される。
【００３４】
図５は、本発明の例示的な実施形態において、符号化方式ＭＣＳ−１〜ＭＣＳ−４に対するＥＧＰＲＳの下りリンクのＲＬＣデータ・ブロックのヘッダ２５を説明する。以下の表２はヘッダ・タイプ３についてのＣＰＳインジケータ・フィールド２６の表である。表２に示されるように、ヘッダ・タイプ３についてのＣＰＳフィールドはいくつかの予備の符号位置を有する。これらのうちの一つは、「ＣＳ−１のＲＬＣ／ＭＡＣ制御ブロックを含むＭＣＳ−１／Ｐ１」を示すために用いられる。これにより、ＭＣＳ−１のヘッダがＣＳ−１のＲＬＣ／ＭＡＣ制御ブロックのヘッダ・コンテンツを含み、且つＭＣＳ−１のデータ・ブロックがＣＳ−１のＲＬＣ／ＭＡＣ制御ブロックのメッセージ・コンテンツを含むことを受信ＭＳに示す。ＣＰＳフィールドは、ＣＳ−１のＲＬＣ／ＭＡＣ制御ブロックを伝えるＭＣＳ−１のブロックにおいて、（ＲＬＣ用データを伝える）通常のＭＣＳ−１の無線ブロックと同じビット位置に配置される。
【表２】
2010521871.tif 000004
【００３５】
図６は下りリンクのＣＳ−１のＲＬＣ／ＭＡＣ制御ブロック３１を、そのＭＡＣヘッダ３２と合わせて説明する。ヘッダ・タイプ３のフィールドの残りは、ＣＳ−１のブロックのＲＬＣ／ＭＡＣ制御ヘッダにより置き換えられる。ＣＳ−１のＲＬＣ／ＭＡＣ制御ヘッダには２８個までのビットがある。ＭＣＳ−１のヘッダにおいて、３１個のビットの余地がある。ＣＰＳフィールドが予約されている場合に、（ＣＰＳフィールドが４ビットなので）２７ビットが残る、すなわち必要よりも１ビット少ない。この問題を解決するために、図６のＣＳ−１のＲＬＣ／ＭＡＣ制御ブロックのＭＡＣヘッダ内の「ペイロード・タイプ」フィールド３３が１ビット分減らされる。ペイロード・タイプ・フィールドは２ビットを有し、以下の表３に示されるように用いられる。符号位置「００」は、ブロックがＲＬＣ用データ・ブロックを含まないため、必要ない。符号位置「１１」は、現在のＣＳ−１のブロックにおいて予約されているため（すなわち、用いられないため）、必要ない。従って、必要な符号位置は二つしかなく、「ペイロード・タイプ」フィールドの長さは１ビットに減らし得る。このように、ＲＬＣ／ＭＡＣ制御ヘッダは２７ビットに減らされ、予約ＣＰＳフィールド（４ビット）と合わせてＭＣＳ−１のヘッダに収まるだろう。
【００３６】
オプションである「オクテット２／３」３４は、拡張されたＣＳ−１のＲＬＣ／ＭＡＣ制御ブロックのメッセージ・セグメンテーションの場合に含まれる。この存在は、ＲＢＳＮビット＝１（ＲＢＳＮｅ）とＦＳビット＝０（ＦＳｅ）との組合せと通じて示される。
【表３】
2010521871.tif 000005
【００３７】
よって、ＲＴＴＩが導入された場合に、制御メッセージを送信するのに用いられる二つの異なる無線ブロック、すなわちＣＳ−１のレガシー無線ブロックと、ＭＣＳ−１の低減ＴＴＩ用無線ブロックとがあるだろう。以下の表４はレガシー無線ブロックとＲＴＴＩ用無線ブロックとの特徴の要約である。
【表４】
2010521871.tif 000006
【００３８】
ＵＳＦを用いた動的上りリンク・アロケーションがある。下りリンクで何が送信されようとも、レガシーＭＳだけでなくＲＴＴＩ用ＭＳもＵＳＦを復号できなければならない。現在の制約では、レガシーＧＰＲＳ用ＭＳは８ＰＳＫで変調されたＥＧＰＲＳ用無線ブロックにおいてＵＳＦを復調できない。
【００３９】
図７は、本発明の例示的な実施形態におけるＢＴＴＩ用ＵＳＦマッピングの概略説明図である。下りリンクにおいてレガシー・ブロックとＲＴＴＩ用ブロックとのどちらが送信されても、ＢＴＴＩ用ＵＳＦは常にレガシーの方法で、すなわち四つの連続した２０ｍｓＴＤＭＡフレーム上にマッピングされて送信される。図７の左側は下りリンクにおいてレガシー無線ブロックが送信される場合を示し、右側はＲＴＴＩ用無線ブロックが送信される場合を示す。
【００４０】
図８は本発明の例示的な実施形態において、ＢＴＴＩ用ＵＳＦを用いたレガシーＭＳ及びＲＴＴＩ用ＭＳへの上りリンクの無線ブロックのアロケーションを説明する。ＢＴＴＩ用ＵＳＦは同じ方法で読み取られるが、ＭＳがレガシーＭＳであるかＲＴＴＩ用ＭＳであるかに依存して、異なるように解釈される。図８の左側は、一つの下りリンクのタイムスロットが同じタイムスロット上に上りリンクの無線ブロックを割当てるレガシーの場合を示す。右側は、下りリンクのタイムスロット−０上のＵＳＦがタイムスロット０及び１の最初の１０ｍｓ上にＲＴＴＩ用無線ブロックを割り当て、且つ下りリンクのタイムスロット−１上のＵＳＦがタイムスロット０及び１の最後の１０ｍｓ上にＲＴＴＩ用無線ブロックを割当てるＲＴＴＩの場合を示す。
【００４１】
図９は、ＣＳ−１のＲＬＣ／ＭＡＣ制御メッセージをＥＧＰＲＳ用移動局に送信する発明の方法の第２の例示的な実施形態のステップを説明するフローチャートである。ステップ４１で、ＢＳＳは、ＭＡＣヘッダのオクテットを除いた符号化方式ＣＳ−１のＲＬＣ／ＭＡＣ制御メッセージと等しい、ヘッダ部及びメッセージ部を有するＲＬＣ／ＭＡＣ制御メッセージを、ＭＣＳ−１の無線ブロックに配置する。ステップ４２で、ＢＳＳは、レガシー・スティーリング・ビットを用いて符号化方式ＣＳ−４のスティーリング・ビットを無線ブロックに配置する。ステップ４３で、ＢＳＳは、無線ブロックがＣＳ−１のＲＬＣ／ＭＡＣ制御ブロックを含むことをヘッダのＣＰＳフィールドにおいて示す。ステップ４４で、ＢＳＳはＭＣＳ−１の無線ブロックを移動局に送信する。
【００４２】
図１０はＥＧＰＲＳ用移動局においてＲＬＣ／ＭＡＣ制御メッセージを受信し検出する発明の方法の例示的な実施形態のステップを説明するフローチャートである。ステップ５１で、ＥＧＰＲＳ用ＭＳは受信した無線ブロックにおいて、レガシー・スティーリングのビット値及びビット位置を用いて送信された符号化方式ＣＳ−４のスティーリング・ビットの符号語を検出する。ステップ５２で、ＣＳ−４のスティーリング・ビットの符号語を検出したことに応答して、ＥＧＰＲＳ用ＭＳはＣＰＳフィールドを識別するために、受信した無線ブロックに含まれる（ＭＣＳ−１〜ＭＣＳ−４の）ブロック・ヘッダを解釈する。ステップ５３で、ＥＧＰＲＳ用ＭＳは、ＣＳ−１のＲＬＣ／ＭＡＣ制御ブロックを含むＭＣＳ−１無線ブロックが受信されていたということをＣＰＳフィールドから判定する。
【００４３】
図１１はＥＧＰＲＳ用ＭＳ６１における発明の処理ユニットの例示的な実施形態の単純化されたブロック図である。無線ブロック６２は受信器６３で受信され、受信器６３は処理ユニット６４に無線ブロックを供給する。処理ユニットはＣＳ−４スティーリング・ビット符号語検出器６５を含み、これは受信した無線ブロックにおいて、レガシー・スティーリング・ビット値及びビット位置を用いて送信された符号化方式ＣＳ−４のスティーリング・ビットの符号語を検出する。スティーリング・ビット符号語検出器は、レガシー・ベーシック伝送時間間隔（ＢＴＴＩ）用バースト・シーケンスにおいて解釈されたスティーリング・ビットを用いてＣＳ−４のスティーリング・ビットの符号語を検出してもよい。ＣＳ−４スティーリング・ビットが検出された場合に、無線ブロック・ヘッダ解釈器６６は、ＭＣＳ−１〜ＭＣＳ−４のブロック・ヘッダが受信した無線ブロックに含まれ、それによりＣＰＳフィールドを識別できると判定する。無線ブロックがＲＴＴＩ用バースト・シーケンスにおいて送信された場合に、無線ブロック・ヘッダ解釈器はＲＴＴＩ用バースト・シーケンスにおいてヘッダ・タイプ３として解釈されたバーストを用いて無線ブロック・ヘッダを解釈する。ＣＰＳフィールド解釈器６７は、ＣＳ−１のＲＬＣ／ＭＡＣ制御ブロックが受信されていたということをＣＰＳフィールドから判定する。ＣＰＳフィールド解釈器はＥＧＰＲＳ用ＭＳ内のレベル２エンティティであってもよい。
【００４４】
本発明の好適な実施形態が添付の図面において説明され、前述の詳細な説明に記載されてきたが、本発明は、これらに開示された実施形態に制限されるものではなく、特許請求の範囲によって規定されることが理解される。
【図１】
2010521871.tif 000007
【図２】
2010521871.tif 000008
【図３】
2010521871.tif 000009
【図４】
2010521871.tif 000010
【図５】
2010521871.tif 000011
【図６】
2010521871.tif 000012
【図７】
2010521871.tif 000013
【図８】
2010521871.tif 000014
【図９】
2010521871.tif 000015
【図１０】
2010521871.tif 000016
【図１１】
2010521871.tif 000017
【国際調査報告】
2010521871.tif 000018
2010521871.tif 000019
2010521871.tif 000020
2010521871.tif 000021